(57)【要約】      （修正有）【課題】反応気体の流れを均等に配分させることができるだけでなく、水分の過多凝縮による瞬間的な水分流入のような外部かく乱状態でも、安定した燃料電池の作動を可能にする分離板の提供。【解決手段】開示された燃料電池用分離板５０は、膜−電極アセンブリの両面に備えられ、反応気体を膜−電極アセンブリに供給するもので、膜−電極アセンブリに対応する反応面に形成される伝導性を有する微細多孔体６０と、反応気体を流出入させる入口マニホールド５０及び出口マニホールド５２に連結し、反応気体を反応面５３に誘導するチャンネル部とを含む燃料電池。【選択図】図２
2015207549.tif 000002
【特許請求の範囲】
【請求項１】
膜−電極アセンブリと、前記膜−電極アセンブリの両面に備えられる分離板とを含む燃料電池において、
前記膜−電極アセンブリに対応する前記分離板の反応面に形成され、反応気体を前記膜−電極アセンブリに供給する伝導性を有する微細多孔体を含み、
前記分離板は、前記反応気体を流出入させる入口および出口マニホールドと、前記入口マニホールドおよび出口マニホールドと連結し、反応気体を前記反応面に誘導するチャンネル部とを含むことを特徴とする燃料電池。
【請求項２】
前記チャンネル部は、前記入口マニホールドおよび出口マニホールドから前記反応面に拡散するチャンネルを形成することを特徴とする請求項１に記載の燃料電池。
【請求項３】
前記チャンネルは、前記入口マニホールドおよび出口マニホールドの一方から他方にいくほど長さが次第に長くなり、前記反応面に連結することを特徴とする請求項２に記載の燃料電池。
【請求項４】
前記チャンネル部は、前記チャンネルの間にリブを形成することを特徴とする請求項２に記載の燃料電池。
【請求項５】
前記分離板の反応面には、前記微細多孔体を複数個に分割する隔壁が形成されることを特徴とする請求項１に記載の燃料電池。
【請求項６】
前記隔壁は、前記反応面の反対面に凹溝として形成され、前記反応面に突出して形成されることを特徴とする請求項５に記載の燃料電池。
【請求項７】
前記凹溝は、冷却媒体を流動させる冷却通路として形成されることを特徴とする請求項６に記載の燃料電池。
【請求項８】
前記分離板の反応面には、前記微細多孔体を複数個のパートに分割する隔壁が形成され、
前記隔壁は、前記リブと連結され、前記反応面を複数個の反応領域に区画することを特徴とする請求項４に記載の燃料電池。
【請求項９】
前記隔壁は、前記チャンネルを前記各反応領域と連結する複数個のチャンネル群に区画することを特徴とする請求項８に記載の燃料電池。
【請求項１０】
膜−電極アセンブリの両面に備えられ、反応気体を前記膜−電極アセンブリに供給する燃料電池用分離板において、
前記膜−電極アセンブリに対応する反応面に形成される伝導性を有する微細多孔体と、
前記反応気体を流出入させる入口マニホールドおよび出口マニホールドに連結し、反応気体を前記反応面に誘導するチャンネル部と、
を含むことを特徴とする燃料電池用分離板。
【請求項１１】
前記チャンネル部は、前記入口マニホールドおよび出口マニホールドから前記反応面に拡散するチャンネルを形成することを特徴とする請求項１０に記載の燃料電池用分離板。
【請求項１２】
前記チャンネル部は、前記入口マニホールドおよび出口マニホールドから前記反応面に連結するチャンネルを形成し、
前記チャンネルは、前記入口マニホールドおよび出口マニホールドの一方から他方にいくほど長さが次第に長くなり、前記反応面に連結することを特徴とする請求項１０に記載の燃料電池用分離板。
【請求項１３】
前記チャンネルの間には、リブが突出形成されることを特徴とする請求項１１または１２に記載の燃料電池用分離板。
【請求項１４】
前記反応面に形成され、前記微細多孔体を複数個に分割する隔壁を含む請求項１０に記載の燃料電池用分離板。
【請求項１５】
前記隔壁は、前記反応面の反対側面に凹溝として形成され、前記反応面に突出すことを特徴とする請求項１４に記載の燃料電池用分離板。
【請求項１６】
前記凹溝は、冷却媒体を流動させる冷却通路として形成されることを特徴とする請求項１５に記載の燃料電池用分離板。
【請求項１７】
前記チャンネル部は、前記入口マニホールドおよび出口マニホールドから前記反応面に連結するチャンネルを形成し、前記チャンネルの間にリブを形成し、
前記反応面には、前記微細多孔体を複数個のパートに分割する隔壁が形成され、
前記隔壁は、前記リブと連結され、前記反応面を複数個の反応領域に区画することを特徴とする請求項１０に記載の燃料電池用分離板。
【請求項１８】
前記隔壁は、前記チャンネルを前記各反応領域と連結する複数個のチャンネル群に区画することを特徴とする請求項１７に記載の燃料電池用分離板。
【発明の詳細な説明】
【技術分野】
【０００１】
本発明は、燃料電池システムの燃料電池スタックに関し、より詳しくは、微細多孔体構造を適用した分離板およびこれを含む燃料電池に関する。
【背景技術】
【０００２】
既知のように、燃料電池は、水素と酸素の電気化学的な反応を通じて電気エネルギーを発生させる単位セルからなる。このような燃料電池は、膜−電極アセンブリ（ＭＥＡ：Ｍｅｍｂｒａｎｅ−Ｅｌｅｃｔｒｏｄｅ  Ａｓｓｅｍｂｌｙ）を挟んでその両側に分離板を配置して構成される。
【０００３】
分離板には、燃料と空気としての反応気体を膜−電極アセンブリにそれぞれ供給する反応流路と、冷却水を流通させる冷却流路とを形成している。膜−電極アセンブリの両面には、反応気体を拡散させるための気体拡散層を形成している。
【０００４】
ここで、燃料電池の性能を極大化させるためには、分離板の反応流路の間隔を稠密にして気体拡散層および膜−電極アセンブリの面圧を均一にし、気体拡散層が反応全面にわたって一定の透過性を有するようにしなければならない。
【０００５】
しかし、分離板の成形段階で発生する各種の不良を防止するためには、分離板の反応流路の間隔を減らすことに限界があり、このような現実的な問題によって次のような燃料電池の性能低下の要因が発生する。
【０００６】
第一、反応流路の間隔が大きい場合は、分離板と気体拡散層が接触するランド面に応力が集中する。これにより、気体拡散層の多孔性構造が破壊されて反応気体の透過性が悪くなり、反応気体の拡散性能および生成水の排出性能を低下させる。また、反応流路が形成された面の場合は、応力が低くて気体拡散層が分離板の流路部に突出して、流体の流動性を低下させ得る。
【０００７】
第二、分離板のランド部によって気体拡散層の構造が破壊され、その破壊された部分では、カーボンファイバーが膜−電極アセンブリの電極層まで浸透するようになって電極層を損傷し得る。
【０００８】
第三、気体拡散層が露出されている流路部の場合は、反応気体の供給が円滑で化学反応は活発であるが、気体拡散層および膜−電極アセンブリ間の面圧不足で接触抵抗が増加して、反応によって生成された電子の移動を難しくし得る。
【０００９】
このような問題点を改善するために、従来技術では、金属薄板に微細ホールなどの多孔構造とチャンネルを形成して、３次元の多孔構造を有する成形多孔体を使用している。
【００１０】
さらに、従来技術では、反応流路を有する分離板の代わりに面圧を均等に分散させ、反応気体の拡散および生成水の排出性能を向上させることができる微細多孔構造体を挿入する方法を使用している。
【００１１】
これは、メタルフォーム（Ｍｅｔａｌ  ｆｏａｍ）およびワイヤーメッシュ（ｗｉｒｅ  ｍｅｓｈ）等のような微細多孔構造体が開口率が高く、気体拡散層を均一に圧縮させる面圧分散の役割をするからである。
【００１２】
その中でもメタルフォームは、金属材料の内部に数多くの気泡が互いに連結された形態でなることにより、流体の通過が容易であり、単位体積当たりの表面積比が高く、強度に優れ、燃料電池用の分離板素材として適合である。
【００１３】
しかし、従来技術で前記メタルフォームの最も大きい短所は、内部気泡がランダムに連結しているため、反応気体および生成水の流れが制御できず、反応全面を効率的に利用することができないということである。
【００１４】
また、従来技術では、分離板に微細多孔構造体を適用するので、分離板の内部にかかる差圧が非常に高くて、燃料電池システムの寄生電力が増加し、燃料電池の体積が増加して、燃料電池の内部の水分（凝縮水）が過飽和状態で微細気孔が詰まり易いので、燃料電池の運転安全性を低下させ得る。
【００１５】
この背景技術の部分に記載された事項は、発明の背景に対する理解を増進させるために作成されたもので、この技術が属する分野における通常の知識を有する者に既に知られた従来技術でない事項を含むことができる。
【発明の概要】
【発明が解決しようとする課題】
【００１６】
本発明の実施例は、微細多孔構造体を適用しながら反応気体の流れを均等に配分させることができるだけでなく、水分の過多凝縮による瞬間的な水分流入のような外部かく乱状態でも、安定した燃料電池の作動が可能な分離板およびこれを含む燃料電池を提供する。
【課題を解決するための手段】
【００１７】
本発明の実施例に係る燃料電池用分離板は、膜−電極アセンブリの両面に備えられ、反応気体を前記膜−電極アセンブリに供給するもので、前記膜−電極アセンブリに対応する反応面に形成される伝導性を有する微細多孔体と、前記反応気体を流出入させる入口マニホールドおよび出口マニホールドに連結し、反応気体を前記反応面に誘導するチャンネル部とを含むことができる。
【００１８】
また、本発明の実施例に係る前記燃料電池用分離板において、前記チャンネル部は、前記入口マニホールドおよび出口マニホールドから前記反応面に拡散するチャンネルを形成することができる。
【００１９】
また、本発明の実施例に係る前記燃料電池用分離板において、前記チャンネル部は、前記入口マニホールドおよび出口マニホールドから前記反応面に連結するチャンネルを形成することができる。
【００２０】
また、本発明の実施例に係る前記燃料電池用分離板において、前記チャンネルは、前記入口マニホールドおよび出口マニホールドの一方から他方にいくほど長さが次第に長くなり、前記反応面に連結することができる。
【００２１】
また、本発明の実施例に係る前記燃料電池用分離板において、前記チャンネルの間には、リブが突出形成されることができる。
【００２２】
また、本発明の実施例に係る前記燃料電池用分離板は、前記反応面に形成され、前記微細多孔体を複数個に分割する隔壁を含むことができる。
【００２３】
また、本発明の実施例に係る前記燃料電池用分離板において、前記隔壁は、前記反応面の反対側面に凹溝として形成され、前記反応面に突出して形成されることができる。
【００２４】
また、本発明の実施例に係る前記燃料電池用分離板において、前記凹溝は、冷却媒体を流動させる冷却通路として形成されることができる。
【００２５】
また、本発明の実施例に係る前記燃料電池用分離板において、前記チャンネル部は、前記入口マニホールドおよび出口マニホールドから前記反応面に連結するチャンネルを形成し、前記チャンネルの間にリブを形成することができる。
【００２６】
また、本発明の実施例に係る前記燃料電池用分離板において、前記反応面には、前記微細多孔体を複数個のパートに分割する隔壁が形成されることができる。
【００２７】
また、本発明の実施例に係る前記燃料電池用分離板において、前記隔壁は、前記リブと連結され、前記反応面を複数個の反応領域に区画することができる。
【００２８】
また、本発明の実施例に係る前記燃料電池用分離板において、前記隔壁は、前記チャンネルを前記各反応領域と連結する複数個のチャンネル群に区画することができる。
【００２９】
そして、本発明の実施例に係る燃料電池は、膜−電極アセンブリと、前記膜−電極アセンブリの両面に備えられる分離板と、前記膜−電極アセンブリに対応する前記分離板の反応面に形成され、反応気体を前記膜−電極アセンブリに供給する伝導性を有する微細多孔体とを含み、前記分離板は、前記反応気体を流出入させる入口および出口マニホールドと、前記入口マニホールドおよび出口マニホールドと連結し、反応気体を前記反応面に誘導するチャンネル部とを含むことができる。
【００３０】
また、本発明の実施例に係る前記燃料電池において、前記チャンネル部は、前記入口マニホールドおよび出口マニホールドから前記反応面に拡散するチャンネルを形成することができる。
【００３１】
また、本発明の実施例に係る前記燃料電池において、前記チャンネルは、前記入口マニホールドおよび出口マニホールドの一方から他方にいくほど長さが次第に長くなり、前記反応面に連結することができる。
【００３２】
また、本発明の実施例に係る前記燃料電池において、前記チャンネル部は、前記チャンネルの間にリブを形成することができる。
【００３３】
また、本発明の実施例に係る前記燃料電池において、前記分離板の反応面には、前記微細多孔体を複数個に分割する隔壁が形成されることができる。
【００３４】
また、本発明の実施例に係る前記燃料電池において、前記隔壁は、前記反応面の反対面に凹溝として形成され、前記反応面に突出して形成されることができる。
【００３５】
また、本発明の実施例に係る前記燃料電池において、前記凹溝は、冷却媒体を流動させる冷却通路として形成されることができる。
【００３６】
また、本発明の実施例に係る前記燃料電池において、前記分離板の反応面には、前記微細多孔体を複数個のパートに分割する隔壁が形成されることができる。
【００３７】
また、本発明の実施例に係る前記燃料電池において、前記隔壁は、前記リブと連結され、前記反応面を複数個の反応領域に区画することができる。
【００３８】
また、本発明の実施例に係る前記燃料電池において、前記隔壁は、前記チャンネルを前記各反応領域と連結する複数個のチャンネル群に区画することができる。
【発明の効果】
【００３９】
本発明の実施例は、分離板のチャンネル部を通じて反応気体を反応面の微細多孔体に均一に分布させ、燃料電池の性能向上を図ることができる。
【００４０】
さらに、本発明の実施例では、隔壁によって分離板の反応面を複数個の反応領域に区画し、微細多孔体を反応領域に形成される複数個のパートに分割し、チャンネル部のチャンネルをそれぞれの反応領域と連結する複数個のチャンネル群に区画することができる。
【００４１】
そこで、本発明の実施例では、反応気体を微細多孔体に持続的に均一に分布させることができ、凝縮水の過多流入のような瞬間的な外部かく乱でも燃料電池の安定した性能維持が可能であり、反応によって生成された生成水の部分的な傾きによって反応気体の流動渋滞が発生することを防止することができる。
【００４２】
また、本発明の実施例では、隔壁を形成する凹溝を冷却媒体を流動させる冷却通路として活用することができるので、燃料電池の冷却効率を増大させることができる。
【図面の簡単な説明】
【００４３】
この図面は、本発明の例示的な実施例を説明することに参照するためのものであるので、本発明の技術的思想を添付の図面に限定して解釈してはならない。
【図１】本発明の実施例に係る燃料電池を示した一部断面構成図である。
【図２】本発明の実施例に係る燃料電池用分離板を示した平面構成図である。
【図３】本発明の実施例に係る燃料電池用分離板の一部を拡大した図面である。
【図４】本発明の実施例に係る燃料電池の作用効果を説明するためのグラフである。
【図５】本発明の実施例に係る燃料電池の作用効果を説明するためのグラフである。
【発明を実施するための形態】
【００４４】
以下、添付の図面を参考として本発明の実施例について本発明が属する技術分野における通常の知識を有する者が容易に実施できるように詳しく説明する。本発明は、様々な異なる形態に具現されることができ、ここで説明する実施例に限定されない。
【００４５】
本発明を明確に説明するために、説明と関係ない部分は省略し、明細書全体にわたって同一または類似の構成要素については同一の参照符号を付けた。
【００４６】
図面に示した各構成要素の大きさおよび厚さは、説明の便宜のために任意に示したので、本発明が必ずしも図面に示されたものに限定されず、様々な部分および領域を明確に表現するために厚さを拡大して示した。
【００４７】
そして、下記の詳細な説明で構成要素の名称を第１、第２等に区分したことは、その構成要素が同一の関係であり、これを区分するためであり、下記の説明で必ずしもその順序に限定されるものではない。
【００４８】
明細書全体において、ある部分がある構成要素を「含む」というとき、これは、特に反対する記載がない限り、他の構成要素を除外するのではなく、他の構成要素をさらに含むことができることを意味する。
【００４９】
また、明細書に記載された「…ユニット」、「…手段」、「…部」、「…部材」等の用語は、少なくとも一つの機能や動作をする包括的な構成の単位を意味する。
【００５０】
図１は、本発明の実施例に係る燃料電池を示した一部断面構成図である。
【００５１】
図１を参照すると、本発明の実施例に係る燃料電池１００は、燃料としての水素ガスおよび酸化剤ガスとしての空気（以下、「反応気体」という）の提供を受けて、水素と酸素の電気化学的な反応を通じて電気エネルギーを発生させる単位セルからなる。
【００５２】
このような燃料電池１００は、多数枚で連続的に積層され、燃料電池スタックで構成され、反応副産物として熱を発生させ、凝縮水としての生成水を排出する。
【００５３】
例えば、燃料電池１００は、膜−電極アセンブリ（ＭＥＡ：Ｍｅｍｂｒａｎｅ−Ｅｌｅｃｔｒｏｄｅ  Ａｓｓｅｍｂｌｙ）１０と、膜−電極アセンブリ１０の両面にそれぞれ形成される気体拡散層３０と、気体拡散層３０に密着して配置される分離板５０とを含む。
【００５４】
上記で膜−電極アセンブリ１０は、電解質膜を挟んでその電解質膜の一面にアノード電極層を形成し、その電解質膜の他面にカソード電極層を形成する。
【００５５】
アノード電極層は、水素ガスとしての反応気体を酸化反応させて電子と水素イオンに分離させ、電解質膜は、水素イオンをカソード電極層に移動させる機能をする。
【００５６】
カソード電極層は、アノード電極層から受けた電子、水素イオン、および別途に提供される空気としての反応気体を還元反応させて水分および熱を生成する機能をする。
【００５７】
上記で気体拡散層３０は、分離板５０を通じて供給される反応気体を膜−電極アセンブリのアノード電極層およびカソード電極層に拡散させ、電気伝導性を有し、アノード電極層およびカソード電極層上に形成される。
【００５８】
上記で分離板５０は、反応気体を気体拡散層３０を通じて膜−電極アセンブリ１０に供給し、電気伝導性を有した素材からなる。
【００５９】
前記分離板５０は、両側周縁に反応気体を流出入させる入口マニホールド５１および出口マニホールド５２をそれぞれ形成する。そして、分離板５０は、気体拡散層３０に対応する領域で、入口マニホールド５１および出口マニホールド５２と連結する反応面５３を形成している。
【００６０】
上記では、本発明の実施例に係る燃料電池１００として、気体拡散層３０を含んでいるものと説明されているが、本発明が必ずしもこれに限定されるものではなく、気体拡散層３０を削除した燃料電池１００に適用することもできる。しかし、以下では、燃料電池１００として気体拡散層３０を含むものを例示して説明することとする。
【００６１】
本発明の実施例に係る燃料電池用分離板５０は、膜−電極アセンブリ１０に対する面圧を均等に分散させ、反応気体の拡散および生成水の排出性を向上させることができる構造からなる。
【００６２】
また、本発明の実施例は、反応気体の流れを均等に配分させることができるだけでなく、水分の過多凝縮による瞬間的な水分流入のような外部かく乱状態でも安定した燃料電池の作動を可能にする燃料電池用分離板５０を提供する。
【００６３】
図２は、本発明の実施例に係る燃料電池用分離板を示した平面構成図であり、図３は、本発明の実施例に係る燃料電池用分離板の一部を拡大した図面である。
【００６４】
図１乃至図３を参照すると、本発明の実施例に係る燃料電池用分離板５０は、基本的に微細多孔体６０とチャンネル部７０とを含んでいる。
【００６５】
本発明の実施例において、微細多孔体６０は、反応気体を気体拡散層３０を通じて膜−電極アセンブリ１０に供給し、上記で言及した反応面５３に形成される。
【００６６】
微細多孔体６０は、所定の開口率（当業界では「気孔率」という）を有したメタルフォームで形成される。例えば、微細多孔体６０は、電気伝導性に優れた銀、銅、金、アルミニウム、タングステン、亜鉛金属、および金属合金の中で選択されるいずれか一つの素材からなる。
【００６７】
このような微細多孔体６０は、金属材料の内部に数多くの気泡が互いに連結されているため、反応気体と生成水の通過が容易であり、単位体積当たりの表面積比が高く、強度に優れているという利点がある。
【００６８】
本発明の実施例において、チャンネル部７０は、反応気体の流れを反応面５３の微細多孔体６０に均等に配分させ、反応によって生成された生成水の部分的な傾き現象およびこれによる反応気体の流動渋滞を防止するためのものである。
【００６９】
また、チャンネル部７０は、入口マニホールド５１に流入される反応気体を反応面５３の微細多孔体６０に誘導し、その微細多孔体６０を通過した反応気体を出口マニホールド５２に容易に流出させる。
【００７０】
このようなチャンネル部７０は、入口マニホールド５１および出口マニホールド５２と連結され、反応面５３に連結するチャンネル７１を含む。
【００７１】
チャンネル７１は、入口マニホールド５１および出口マニホールド５２から反応面５３に拡散する形状で、入口マニホールド５１と反応面５３との間および出口マニホールド５２と反応面５３との間にそれぞれ形成される。
【００７２】
例えば、チャンネル７１は、入口マニホールド５１および出口マニホールド５２の一方から他方にいくほど長さが次第に長くなる形状を有し、反応面５３と連結される。
【００７３】
ここで、チャンネル７１の間にはリブ７３が突出して形成され、これらのリブ７３も、入口マニホールド５１および出口マニホールド５２の一方から他方にいくほど長さが次第に長くなる形状で形成される。
【００７４】
一方、本発明の実施例に係る燃料電池用分離板５０は、反応面５３に形成され、微細多孔体６０を複数個に分割する隔壁８０をさらに含む。
【００７５】
本発明の実施例において、隔壁８０は、反応面５３の反対面に凹溝８１として形成され、その反応面５３に突出して形成され、入口マニホールド５１側から出口マニホールド５２側に長く形成される。
【００７６】
つまり、隔壁８０は、反応面５３に突出形成され、その反応面５３を複数個の反応領域５５に区画し、微細多孔体６０をそれぞれの反応領域５５に形成される複数個のパート６１に分割する。
【００７７】
それぞれの反応領域５５は、入口マニホールド５１および出口マニホールド５２側のチャンネル７１と連結し、隔壁８０は、チャンネル部７０のリブ７３と連結される。
【００７８】
つまり、隔壁８０は、入口マニホールド５１側でチャンネル部７０のリブ７３と連結され、出口マニホールド５２側でチャンネル部７０のリブ７３と連結される。
【００７９】
そこで、上記の隔壁８０は、チャンネル部７０のチャンネル７１をそれぞれの反応領域５５と連結する複数個のチャンネル群７５に区画する。
【００８０】
このような隔壁８０は、上記で言及したように、反応面５３の反対面に凹溝８１として形成され、その凹溝８１は、燃料電池１００の積層時に冷却媒体を流動させる冷却通路９０として形成される。
【００８１】
つまり、多数枚の燃料電池１００を積層して燃料電池スタックを構成する時、互いに隣接する燃料電池１００の分離板５０は、反応面５３の反対面が互いに密着し、上記の冷却通路９０は、その反対面の凹溝８１が互いに合わされながら形成される。
【００８２】
以下、上記のように構成される本発明の実施例に係る燃料電池１００の作用を前述した図面を参照して詳細に説明する。
【００８３】
先ず、本発明の実施例では、一側分離板５０の入口マニホールド５１に反応気体として水素ガスを供給し、他側分離板５０の入口マニホールド５１に反応気体として空気を供給する。
【００８４】
以下、反応気体は、チャンネル部７０のチャンネル７１を通じて拡散し、分離板５０の反応面５３に誘導され、その反応面５３の微細多孔体６０に均一に流入される。
【００８５】
ここで、反応気体は、チャンネル７１のチャンネル群７５を通じて拡散し、隔壁８０によって区画された反応面５３の反応領域５５に誘導され、その反応領域５５に区画形成された微細多孔体６０のパート６１に均一に流入される。
【００８６】
このような反応気体（水素ガスおよび空気）は、気体拡散層３０を通じて拡散しながら膜−電極アセンブリ１０のアノード電極層およびカソード電極層にそれぞれ供給され、該アノード電極層およびカソード電極層では、水素と酸素の電気化学的な反応によって電気エネルギーを発生させ、熱と凝縮水としての生成水を生成する。
【００８７】
そして、微細多孔体６０のパート６１を通過した反応気体は、チャンネル部７０のチャンネル７１を通じて出口マニホールド５２に容易に排出される。
【００８８】
一方、本発明の実施例において、上記のように水素と酸素の電気化学的な反応によって発生する熱は、互いに隣接する燃料電池１００の分離板５０の間の冷却通路９０を通じて流動する冷却媒体によって冷却される。
【００８９】
これまで説明したように、本発明の実施例に係る燃料電池１００によると、分離板５０のチャンネル部７０を通じて反応気体を反応面５３の微細多孔体６０に均一に分布させることができる。
【００９０】
また、本発明の実施例では、隔壁８０によって分離板５０の反応面５３を複数個の反応領域５５に区画し、微細多孔体６０を反応領域５５に形成される複数個のパート６１に分割し、チャンネル部７０のチャンネル７１をそれぞれの反応領域５５と連結する複数個のチャンネル群７５に区画する。
【００９１】
従って、本発明の実施例では、反応気体を微細多孔体６０に持続的に均一に分布させることができ、凝縮水の過多流入のような瞬間的な外部かく乱でも燃料電池の安定した性能維持が可能であり、反応によって生成された生成水の部分的な傾きによって反応気体の流動渋滞が発生することを防止することができる。
【００９２】
そして、本発明の実施例では、隔壁８０を形成する凹溝８１を冷却媒体を流動させる冷却通路９０として活用することができるので、燃料電池の冷却効率を増大させることができる。
【００９３】
以下、本発明の実施例に係る燃料電池１００の作用効果を図４および図５を参照して詳しく説明する。
【００９４】
図４は、微細多孔体のみを適用した従来技術としての比較例と、微細多孔体と共にチャンネル部を適用した本発明の実施例１と、微細多孔体およびチャンネル部と共に隔壁を適用した本発明の実施例２に対する燃料電池の性能評価の結果を示したグラフである。
【００９５】
図４のように、本発明の実施例１では、比較例に比べて最高出力区間で燃料電池の性能が１５％増加したことが分かり、本発明の実施例２では、比較例に比べて最高出力区間で燃料電池の性能が２０％増加したことが分かる。
【００９６】
そして、図５は、上記のような比較例と本発明の実施例２に対するセル運転安定性の評価結果を示したグラフである。
【００９７】
図５のように、一定の燃料電池負荷状態でセル外部から瞬間的に凝縮水を流入させた時の比較例と実施例２のセル電圧の動きを比較すると、本発明の実施例２では、比較例に比べて安定したセルの動きを表しているが、これは、外部から流入した凝縮水がセル内に均等に流入することで瞬間的なセル電圧の降下が緩和されるためである。
【００９８】
以上を通じて本発明の好ましい実施例について説明したが、本発明は、これに限定されるものではなく、特許請求の範囲と発明の詳細な説明および添付の図面の範囲内で多様に変形して実施することが可能であり、これも本発明の範囲に属することは当然である。
【符号の説明】
【００９９】
１０：膜−電極アセンブリ
３０：気体拡散層
５０：分離板
５１：入口マニホールド
５２：出口マニホールド
５３：反応面
５５：反応領域
６０：微細多孔体
６１：パート
７０：チャンネル部
７１：チャンネル
７３：リブ
７５：チャンネル群
８０：隔壁
８１：凹溝
９０：冷却通路
【図１】
2015207549.tif 000003
【図２】
2015207549.tif 000004
【図３】
2015207549.tif 000005
【図４】
2015207549.tif 000006
【図５】
2015207549.tif 000007